(57)【要約】【課題】安全装置付き水着の提供。【解決手段】本安全装置付き水着は、水着裏地に一体に充気可能なバッグが縫いつけられ、該バッグは入気口を具え、該入気口は水着内部に包まれるように縫いつけられたブローパイプに接続され、ブローパイプの別端は水着外側に延伸されてノズルを形成し、該ブローパイプより水着裏地中に位置する支管が延伸され、さらに該支管が気体供給する自動充気装置に接続され、該自動充気装置は上記水着裏地中のバッグ対向面に一体に包まれる。該バッグが裏地中において水着の外側辺縁まで延伸される。これにより、使用者は必要に応じて気体をノズルよりブローパイプを通して該バッグに注入し、水着のバッグに適宜浮力をもたせ、これにより水泳初心者に水泳を練習させるか、或いは自動充気装置をオンして気体を支管よりバッグに注入し、水に救命具の機能を具備させる。【選択図】図１
0003170775.tif 000002
【実用新案登録請求の範囲】
【請求項１】
安全装置付き水着において、水着の裏地に一体に充気可能なバッグが縫いつけられ、該バッグは入気口を具え、該入気口は水着内部に包まれるように縫いつけられたブローパイプに接続され、該ブローパイプの別端は水着外側に延伸されてノズルを形成し、該ブローパイプより水着裏地中に位置する支管が延伸され、該支管が気体を供給する自動充気装置に接続され、該自動充気装置は該水着の裏地中の該バッグとの対向面に一体に包まれ、該バッグは該水着の裏地の外側辺縁まで延伸されたことを特徴とする、安全装置付き水着。
【請求項２】
請求項１記載の安全装置付き水着において、該自動充気装置は二酸化炭素スチールボンベとされることを特徴とする、安全装置付き水着。
【請求項３】
請求項１記載の安全装置付き水着において、該水着はワンピース式水着とされ、上述のバッグはワンピース式水着の前側に設置され、上述の自動充気装置はワンピース水着の背側に設置されることを特徴とする、安全装置付き水着。
【請求項４】
請求項１記載の安全装置付き水着において、該水着はトップパートとボトムパートが共同で構成するセパレート式水着とされ、該ボトムパートの外側を包むようにスカートが設けられ、該スカートは前布ブロックと後ろ布ブロックを具え、該バッグは前布ブロックの裏地に設置され、該自動充気装置は後ろ布ブロックの裏地に設置されることを特徴とする、安全装置付き水着。
【考案の詳細な説明】
【技術分野】
【０００１】
本考案は充気可能なバッグを具えた安全水着であって、特に、使用者が必要に応じてバッグに適量の空気を人工で吹き込むか、或いは緊急時に自動充気できる安全水着に関する。
【背景技術】
【０００２】
水上活動に従事する時、人々は通常水着を着用する。しかし、水泳初心者にとっては、もっともよく見られる学習障害の一つは、溺れることが怖くて心と身体をリラックスさせられないことであり、このため、市場には浮き板、浮輪などは水泳初心者のための道具があるが、軽便に水上活動を行いたい初心者にとって、余分に浮き板或いは浮輪などの補助工具を対向することは煩わしいものである。
【０００３】
このほか、水上活動を行う過程で、水域や天候の影響を熟知しないために溺れる事件が多発しているが、往々にして救援できる時間は僅かに数分であり、救助員が来るまでに溺れてしまうことが多い。不幸な事件の発生を防止するため、水上活動に救命胴衣或いは救命器具を携行するように規定すれば、事故の発生を防止できるものの、着装が面倒であったり、着装時に使用者の活動の不便をもたらすため、このような重要な救命器具は省略されやすい。ゆえに、水着を、緊急状況時に救命作用を発揮できるものとすれば、多くの悲劇の発生を減らすことができる。
【０００４】
以上を鑑み、いかに水泳初心者が使用でき且つ緊急救命工具を具えた水着を提供するかが、克服を待たれる課題である。
【考案の概要】
【考案が解決しようとする課題】
【０００５】
本考案の主要な目的は、充気可能なバッグを具えて水泳初心者の使用に供され、且つ水着の美観に影響を与えない安全水着を提供することにある。
【０００６】
本考案の別の目的は、使用者が必要に応じてバッグに人工で息を吹き込むか或いは自動で充気するかを選択できる安全水着を提供することにある。
【課題を解決するための手段】
【０００７】
本考案の安全装置付き水着は、水着裏地に一体に充気可能なバッグが縫いつけられ、該バッグは入気口を具え、該入気口は水着内部に包まれるように縫いつけられたブローパイプに接続され、ブローパイプの別端は水着外側に延伸されてノズルを形成し、該ブローパイプより水着裏地中に位置する支管が延伸され、さらに該支管が気体供給する自動充気装置に接続され、該自動充気装置は上記水着裏地中のバッグ対向面に一体に包まれる。該バッグが裏地中において水着の外側辺縁まで延伸される。
【０００８】
好ましい実施例において、上述の自動充気装置は二酸化炭素スチールボンベとされる。
【０００９】
好ましい実施例において、上述の水着はワンピース式水着とされ、上述のバッグはワンピース式水着の前側に設置され、上述の自動充気装置はワンピース水着の背側に設置される。
【００１０】
別の好ましい実施例において、上述の水着はトップパートとボトムパートが共同で構成するセパレート式水着とされ、上述のボトムパートの腰位置に前布ブロックと後ろ布ブロックが共同で構成する装飾用スカートが設けられ、且つ上述のバッグは前布ブロックの裏地に設置され、上述の自動充気装置は後ろ布ブロックの裏地に設置される。
【考案の効果】
【００１１】
これにより、本考案は充気式バッグを具えた水着であり、且つバッグは使用者の選択により、人工で空気を吹き込むか或いは自動充気装置により充気でき、使用者が水泳練習をするのに使用されるか、或いは水上緊急救命に使用される。このほか、本考案のバッグ及び自動充気装置はいずれも水着の裏地中に内蔵され、水着の外観に影響を与えない。
【図面の簡単な説明】
【００１２】
【図１】本考案のワンピース式水着とバッグの結合表示図である。
【図２】本考案のバッグの表示図である。
【図３】本考案のワンピース式水着と自動充気装置の結合表示図である。
【図４】本考案のセパレート式水着とバッグの結合表示図である。
【図５】本考案のセパレート式水着と自動充気装置の結合表示図である。
【図６】図４のＡ−Ａ’断面図である。
【図７】本考案のセパレート式水着の使用状態表示図である。
【考案を実施するための形態】
【００１３】
本考案の技術内容、構造特徴、達成する目的を詳細に説明するため、以下に実施例を挙げ並びに図面を組み合わせて説明する。
【００１４】
本考案は使用者の必要により、図１に示される第１種のワンピース式水着１０、或いは図４に示される第２種のセパレート式水着２０として製作される。
【００１５】
まず、本考案の第１種のワンピース式水着１０は、図１、２に示されるように、ワンピース式水着１０の胸前位置の裏地に一体に充気式のバッグ１１が縫いつけられている。そのうち、該バッグ１１の上部に気体を進入させる入気口１２があり、該入気口１２に、該水着内部に包まれるように縫いつけられたブローパイプ１３が接続され、該ブローパイプ１３の別端はワンピース式水着１０の胸前外側表面に延伸されてノズル１４を形成し、気体がノズル１４より人工で吹き込む方式でバッグ１１中に送り込まれることで、バッグ１１の充気膨張の効果を達成させられる。該バッグ１１はワンピース式水着１０の胸前裏地中の外側辺縁まで延伸されている。
【００１６】
図１から図３に示されるように、上述のフレクシブルなブローパイプ１３より、ワンピース式水着１０の裏地中に位置する支管１５が延伸され、さらに該支管１５により自動充気装置１６が接続される。該自動充気装置１６は一体に、ワンピース式水着１０の臀部の腰に接近する位置の裏地中に包まれ、内蔵の効果が達成される。この実施例では、上述の自動充気装置１６は二酸化炭素ボンベとされ、使用者が溺れる状況の時、二酸化炭素ボンベを開くことで、二酸化炭素を迅速にバッグ１１中に送り、充気を完成でき、緊急時の救命効果を達成できる。
【００１７】
このほか、本考案の第２種のセパレート式水着２０は、図４から図６に示されるように、トップパート２０ａとボトムパート２０ｂが共同で構成する。上述のボトムパート２０ｂの外側の腰位置に、前布ブロック２０１と後ろ布ブロック２０２が共同で構成するスカート２０ｃが延伸設置され、該前布ブロック２０１の裏地中に一体に充気式のバッグ２１が縫いつけられ、該バッグ２１は入気口２２を具え、該入気口２２に水着内部に包まれるように縫いつけられたブローパイプ２３が接続され、該ブローパイプ２３の別端は前布ブロック２０１の外側に延伸されてノズル２４を形成している。該バッグ２１は前布ブロック２０１の裏地中の外側辺縁まで延伸されている。
【００１８】
上述の後ろ布ブロック２０２の腰近くの裏地中に、一体に自動充気装置２６が包まれるように設けられ、上述のブローパイプ２３より支管２７が延伸され、該支管２７は前布ブロック２０１より腰に添って後ろ布ブロック２０２に延伸されて、上述の自動充気装置２６に接続される。好ましい実施例によると、上述の自動充気装置２６は二酸化炭素ボンベとされ、使用者が溺れる状況の時、二酸化炭素ボンベを開くことで、二酸化炭素を迅速にバッグ２１中に送り、充気を完成でき、緊急時の救命効果を達成できる。
【００１９】
図７は本考案の第２種の実施態様であるセパレート式水着２０の使用状態表示図である。上述のバッグ２１は人工吹き込み方式でノズル２４より気体を吹き込むか、或いは、自動充気装置２６を開いてバッグ２１に気体を送り込める。バッグ２１への充気完成後に、前布ブロック２０１は腹部位置にめくれ上がり、浮きとなり、使用者の水泳練習用或いは緊急時の救命用とされる。
【００２０】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２１】
１０  ワンピース式水着        ２０  セパレート式水着        ２２  入気口
１１  バッグ                  ２０ａ  トップパート          ２３ブローパイプ
１２  入気口                  ２０ｂ  ボトムパート          ２４  ノズル
１３  ブローパイプ            ２０ｃ  スカート              ２５  支管
１４  ノズル                  ２０１  前布ブロック          ２６  自動充気装置
１５  支管                    ２０２  後ろ布ブロック
１６  自動充気装置            ２１  バッグ
【図１】
0003170775.tif 000003
【図２】
0003170775.tif 000004
【図３】
0003170775.tif 000005
【図４】
0003170775.tif 000006
【図５】
0003170775.tif 000007
【図６】
0003170775.tif 000008
【図７】
0003170775.tif 000009